(57)【要約】      （修正有）【課題】  すべり易いニンニクの外周を確実に把持できるすりおろし用ニンニクの把持具の提供。【解決手段】  本体１の一端側に板バネよりなる三枚の把持片２を開いた花状に周方向に離間して配置され、夫々の把持片２の内面側に係止爪３または係止針を突設し、横断面が鋭角の扇状をなすニンニク塊を三方から確実に把持し、すりおろし中にニンニク塊が外れることがなく滑り易いニンニクを確実に把持できる。【選択図】        図１
2005087224.tif 000002
【特許請求の範囲】
【請求項１】
本体(1) の一端側に、板バネよりなる三枚の把持片(2) が、開いた花状に周方向に互いに離間して配置され、夫々の把持片(2) の内面側に係止爪(3) または係止針が突設されたニンニクの把持具。
【請求項２】
請求項 1において、
前記係止爪(3) または係止針が夫々の把持片(2) の先端部に設けられたニンニクの把持具。
【請求項３】
請求項１または請求項２において、
前記把持片(2) の外面側に滑り止め部(4) が設けられ、
本体(1) の他端側に、おろし器上のおろしニンニクを器に移動させる、移し部(5) が設けられたニンニクの把持具。
【請求項４】
請求項２において、
前記移し部(5) は、その先端が鋸歯状またはハケ状あるいは硬質フィルム状に形成されたニンニクの把持具。
【発明の詳細な説明】
【技術分野】
【０００１】
本発明は、互いに分離されたニンニクの一つの塊をおろし器ですりおろす際に、それを保持するニンニクの把持具に関する。
【背景技術】
【０００２】
皮を剥いて分離されたニンニクの一粒は、表面が滑り易くおろし器でおろし難い欠点がある。
そこで、従来ニンニクその他を保持するものとして、はさみ機能を設けたすりおろし器が特許文献１で提案されている。これは全体がＵ字状に形成され、先端部が屈曲自在に設けられ、その先端部内面に多数の小さな円錐突起を設けたものである。そしてこの円錐突起を有する一対の先端部間にすりおろし対象物を挟み、おろし器でおろすものである。
さらには、台所用挟持具として特許文献２が提案されている。これは細長いＵ字状に形成された掴み具の先端に鋸歯状部を形成し、そこにすりおろし対象物を挟持するものである。
さらには、調理用おろしばさみ器として特許文献３に記載のものが提案されている。これは、金属や合成樹脂等からなる本体の中央部に屈曲自在な折り曲げ部を設け、その本体内面側に針状部を設け、その針状部でワサビ等を挟持するものである。
【０００３】
【特許文献１】特開平１０−２１６０２８号公報
【特許文献２】実開昭５５−１５９０３８号公報
【特許文献３】実開昭５１−０３６４４７号公報
【発明の開示】
【発明が解決しようとする課題】
【０００４】
従来のはさみ機能を有するおろし器は、細長い棒状のものや平板状のもの等を挟持するのには有効であるが、ニンニクの一つの粒（塊）の如く、その横断面が鋭角の扇型に形成されているものは把持し難い欠点があった。
そこで、本発明者はニンニクの形状に馴染む新たな把持具を提供することを課題とする。
【課題を解決するための手段】
【０００５】
請求項１に記載の本発明は、本体(1) の一端側に、板バネよりなる三枚の把持片(2) が、開いた花状に周方向に互いに離間して配置され、夫々の把持片(2) の内面側に係止爪(3) または係止針が突設されたニンニクの把持具である。
請求項２に記載の本発明は、請求項 1において、
前記係止爪(3) または係止針が夫々の把持片(2) の先端部に設けられたニンニクの把持具である。
【０００６】
請求項３に記載の本発明は、請求項１または請求項２において、
前記把持片(2) の外面側に滑り止め部(4) が設けられ、
本体(1) の他端側に、おろし器上のおろしニンニクを器に移動させる、移し部(5) が設けられたニンニクの把持具である。
請求項４に記載の本発明は、請求項２において、
前記移し部(5) は、その先端が鋸歯状またはハケ状あるいは硬質フィルム状に形成されたニンニクの把持具である。
【発明の効果】
【０００７】
本発明のニンニクの把持具は、板バネよりなる三枚の把持片２が開いた花状に周方向に互いに離間して配置され、夫々の把持片２の内面側に係止爪３または係止針が突設されたものであるから、横断面が鋭角の扇状をなすニンニク塊を三方から確実に把持してすりおろし中にそれが外れることがない。即ち、扇型の２面と円弧面とを夫々３方から挟み込むことにより、滑り易いニンニクを確実に把持できる。
また、把持片２は板バネよりなり、開いた花状に周方向に互いに離間しているため、夫々の把持片２を３本の指で押さえることにより、ニンニク６を着脱容易に且つ確実に把持することができる。即ち、把持片２を指から離せば板バネの弾発力により開いて、ニンニク６を本把持具から分離することができる。
【０００８】
請求項２に記載の本発明によれば、係止爪３または係止針が夫々の把持片２の先端部に設けられているから、ニンニク６を可能な限り最後までおろし器でおろすことができる。  請求項３に記載の本発明は、本体１の他端側に移し部５が設けられ、それによりおろし器上のおろしニンニクを器に移動させることができる。即ち、本把持具を持ち替えることによりすりおろしに続いてニンニクを容易に器に移し替えることができる。
請求項４に記載の本発明は、上記構成において移し部５の先端が鋸歯状またはハケ状あるいは硬質フィルム状に形成されたものであり、おろし器上の多数のおろし歯に邪魔されることなく、おろしニンニク９を器に移動させることができる。
【発明を実施するための最良の形態】
【０００９】
次に、図面に基づいて本発明の実施の形態につき説明する。
図１は本発明のニンニクの把持具の斜視図およびそのＢ−Ｂ断面図である。また、図２はニンニク６を本把持具で把持した状態を示し、その（Ｂ）は（Ａ）のＢ−Ｂ矢視断面略図であり、図３は本把持具でニンニク６を把持しつつおろし器８によってすりおろしを行っている説明図である。さらに図４はすりおろし後におろしニンニク９を移し部５によって器10に移し替えている状態を示す説明図である。
【００１０】
この把持具は、横断面が円形の本体１の一端側に等間隔に板バネよりなる三枚の把持片２が開いた花状に互いに離間して配置されている。夫々の把持片２は、根元が細くくびれ先端が広がると共に、その先端部の縁部７が外側に折り曲げられている。
また、各把持片２の内面側には図１（Ｂ）の如く、係止爪３が把持片２から一体に切り起こし形成されている。なお、このような切り起こしに代えて短い釘状のものを接合等により突設させてもよい。
【００１１】
把持片２の外面側には、楔状の滑り止め部４が取付けられている。この滑り止め部４の代わりに適宜な滑り止め部材を接合または一体に形成することもできる。なお、縁部７を外側に折り曲げることにより、ニンニク６を図２の如く把持したとき、その縁部がニンニク６に干渉することを避けることができる。また、滑り止め部４は指で掴んだとき、その掴み状態を確実に維持するものである。
【００１２】
本体１の他端側には本体１と一体の移し部５が形成されている。この移し部５の縦断面は図１（Ｂ）の如く、先端に向かって細くなる鉄塔状に形成され、その先端縁は鋸歯状に形成されている。
なお、図５は移し部５の他の実施の形態を示し、この移し部５はハケ状に形成されいてる。また、図６は硬質フィルム状に形成され、その先端が鋸刃状に形成されている。図６（Ｂ）は（Ａ）の側面図である。
【００１３】
このような本発明の把持具は、図２の如くそれら３枚の把持片２によってニンニク６の３方が係止把持される。把持前においては、把持片２は夫々その板バネの弾発力により、図１（Ａ）の如く外側に広がっている。そこで、軽く夫々の滑り止め部４を３本の指で挟み、図２（Ａ）の如く、係止爪３をニンニク６の外面に咬着する。このとき、ニンニク６は２つの平面が一対の把持片２により挟持され、ニンニク６の曲面が他の一つの把持片２により挟持される。そしてニンニク６は、夫々の把持片２の係止爪３により係止される。  このように係止されたニンニク６は、図３の如くおろし器８によってすりおろされる。すりおろされたおろしニンニク９は、図４の如く本把持具を逆向きに持ち替え、その移し部５によって器10に移し替えられる。
【００１４】
次に、図７は本発明の他の実施の形態を示し、この例は三つの把持片２が一枚の金属板から一体に形成され且つ、滑り止め部４もプレス成形により一体に形成されたものである。それと、別体からなる本体１とがビスあるいは接着材等により接合される。
次に、図８は本体１と把持片２と滑り止め部４とが一体に形成されたものである。
【図面の簡単な説明】
【００１５】
【図１】本発明の第１の実施の形態を示すニンニクの把持具の斜視図およびＢ−Ｂ断面図。
【図２】同把持具の使用状態を示す正面図およびＢ−Ｂ断面図。
【図３】同把持具で把持したニンニク６をおろし器８ですりおろす説明図。
【図４】すりおろし後のおろしニンニク９を本把持具の移し部５で器10に入れる状態を示す説明図。
【００１６】
【図５】移し部５の他の実施の形態を示す要部説明図。
【図６】移し部５のさらに他の実施の形態を示す要部正面図および側面図。
【図７】本発明の他のニンニクの把持具の分解斜視図。
【図８】本発明のさらに他の実施の形態を示すニンニクの把持具の斜視図。
【符号の説明】
【００１７】
１  本体
２  把持片
３  係止爪
４  滑り止め部
５  移し部
６  ニンニク
７  縁部
８  おろし器
９  おろしニンニク
10  器
【図１】
2005087224.tif 000003
【図２】
2005087224.tif 000004
【図３】
2005087224.tif 000005
【図４】
2005087224.tif 000006
【図５】
2005087224.tif 000007
【図６】
2005087224.tif 000008
【図７】
2005087224.tif 000009
【図８】
2005087224.tif 000010